(57)【要約】  本出願は、ドアロック及びその制御回路に関する。ドアロックは、スイッチ手段と、スイッチ手段を開放することができるスイッチ駆動手段と、駆動スライダーとを備える。駆動スライダーは、スイッチ駆動手段を駆動することができる。駆動スライダーは、ドアフックによって駆動することができる。スイッチ駆動手段（すなわち、揺動レバー）及びロックピンは、スイッチ手段の開放を連携して制御することができる。スイッチ駆動手段（すなわち、揺動レバー）は、機械的構造体（すなわち、駆動スライダー）によって駆動され、ロックピンは、電子信号及び回路構造体（例えば、第２の電流ループ）によって駆動することができ、それにより、異常な作動状態で電源を切断する感度及び信頼性が向上する。【選択図】図２
2022502147.tif 000002
【特許請求の範囲】
【請求項１】
スイッチ手段（５２０）と、
前記スイッチ手段（５２０）を開放することができるスイッチ駆動手段（５２６）と、
前記スイッチ駆動手段（５２６）を駆動することができるとともに、ドアフック（１０２）によって駆動することができる駆動スライダー（３１１）と、を備える、ドアロック。
【請求項２】
前記スイッチ駆動手段（５２６）は揺動レバーであり、該揺動レバーは、前記スイッチ手段（５２０）を開放するように回転することができる、請求項１に記載のドアロック。
【請求項３】
前記ドアロックは、
前記ドアフック（１０２）を収納することができるとともに、係止位置を有するカム（２０８）と、
前記カム（２０８）を前記係止位置で維持するように構成されている係止スライダー手段（３１０）と、
前記係止スライダー手段（３１０）を係止するように構成されているロックピン（５２５）と、を更に備える、請求項２に記載のドアロック。
【請求項４】
前記ロックピン（５２５）は、ロックピン係止位置とロックピン係止解除位置とを有し、
前記ロックピン（５２５）が前記ロックピン係止位置にあるとき、該ロックピン（５２５）は前記係止スライダー手段（３１０）を係止し、
前記ロックピン（５２５）が前記ロックピン係止解除位置にあるとき、該ロックピン（５２５）は前記係止スライダー手段（３１０）を解放するとともに、前記スイッチ手段（５２０）を開放する、請求項３に記載のドアロック。
【請求項５】
正常な作動状態では、前記ロックピン（５２５）は、前記スイッチ手段（５２０）を開放することができ、
強制的にドアが引っ張られる場合、前記スイッチ駆動手段（５２６）は、前記スイッチ手段（５２０）を開放することができる、請求項４に記載のドアロック。
【請求項６】
前記係止スライダー手段（３１０）は、
第１の係止スライダー（４１７）及び第２の係止スライダー（３１８）であって、該第１の係止スライダー（４１７）は、前記カム（２０８）によって第１の方向（ｘ）に沿って移動するように駆動することができ、該第１の係止スライダー（４１７）は、該第２の係止スライダー（３１８）を第２の方向（ｙ）に沿って移動するように駆動することができる、第１の係止スライダー（４１７）及び第２の係止スライダー（３１８）、を備え、
前記ロックピン（５２５）は、前記第２の係止スライダー（３１８）を係止するように構成され、
前記第１の方向（ｘ）は前記第２の方向（ｙ）に対して垂直である、請求項５に記載のドアロック。
【請求項７】
前記ドアロック（１００）は、スイッチボックス（２０５）及びベース（１０１）を備え、前記スイッチ手段（５２０）は前記スイッチボックス（２０５）の内側に位置し、
前記駆動スライダー（３１１）及び前記第２の係止スライダー（３１８）は、前記スイッチボックス（２０５）と前記ベース（１０１）との間に並んで配置されるとともに、前記第２の方向（ｙ）に沿って移動する、請求項６に記載のドアロック。
【請求項８】
前記スイッチ手段（５２０）は、
弾性片（５２４）と、
固定接点（５２３）と、を備え、
前記揺動レバー（５２６）の一端は前記弾性片（５２４）を駆動することができ、
前記揺動レバー（５２６）は、揺動レバー作動位置と揺動レバーアイドル位置とを有し、該揺動レバー（５２６）が前記揺動レバー作動位置にあるとき、該揺動レバー（５２６）は、前記スイッチ手段（５２０）を開放するように前記固定接点（５２３）から前記弾性片（５２４）を引き離し、
前記揺動レバー（５２６）が前記揺動レバーアイドル位置にあるとき、該揺動レバー（５２６）は前記スイッチ手段（５２０）の閉鎖又は開放に影響を与えない、請求項２に記載のドアロック。
【請求項９】
前記駆動スライダー（３１１）は、前記ドアフック（１０２）の移動とともに第２の方向（ｙ）に沿って、駆動スライダー係止位置と駆動スライダー係止解除位置との間で移動し、
前記駆動スライダー（３１１）が前記駆動スライダー係止位置にあるとき、該駆動スライダー（３１１）は、前記揺動レバー（５２６）を前記揺動レバー作動位置まで移動するように駆動し、
前記駆動スライダー（３１１）が前記駆動スライダー係止解除位置にあるとき、該駆動スライダー（３１１）は、前記揺動レバー（５２６）を前記揺動レバーアイドル位置まで移動するように駆動する、請求項８に記載のドアロック。
【請求項１０】
前記揺動レバー（５２６）はシャフト（７３２）を備え、該揺動レバー（５２６）は該シャフト（７３２）の周りを回転することができ、
前記揺動レバー（５２６）は、上部アーム（７３５）及び下部アーム（７３６）を更に備え、該上部アーム（７３５）の一端は前記シャフト（７３２）に接続され、該上部アーム（７３５）の他端は前記弾性片（５２４）に接続するように構成されており、
前記下部アーム（７３６）の一端は前記シャフト（７３２）に接続され、該下部アーム（７３６）の他端は前記駆動スライダー（３１１）によって駆動することができる、請求項８に記載のドアロック。
【請求項１１】
前記揺動レバー（５２６）の前記シャフト（７３２）は、第２の方向（ｙ）に沿って前記駆動スライダー（３１１）に対して平行に配置されている、請求項１０に記載のドアロック。
【請求項１２】
前記駆動スライダー（３１１）は復帰手段（３１２）に接続されており、該復帰手段（３１２）は、前記駆動スライダー（３１１）に仮締め力を加えて、該駆動スライダー（３１１）が前記駆動スライダー係止位置まで移動するのを可能にする、請求項８に記載のドアロック。
【請求項１３】
前記駆動スライダー（３１１）はドアロック駆動面取り部（８４２）を有し、前記ドアフック（１０２）は、前記ドアロック駆動面取り部（８４２）を通して前記駆動スライダー（３１１）を駆動し、
前記ドアフック（１０２）が第３の方向（ｚ）に沿ってドアロック孔（１０３）内に挿入されると、該ドアフック（１０２）は、前記ドアロック駆動面取り部（８４２）を通して、前記駆動スライダー（３１１）を第２の方向（ｙ）に沿って移動するように駆動する、請求項８に記載のドアロック。
【請求項１４】
前記駆動スライダー（３１１）は揺動レバー駆動面取り部（８４３）を有し、該駆動スライダー（３１１）は、前記揺動レバー駆動面取り部（８４３）を通して前記揺動レバー（５２６）の前記下部アーム（７３６）を駆動し、
前記駆動スライダー（３１１）が前記駆動スライダー係止位置にあるとき、該駆動スライダー（３１１）は、前記揺動レバー駆動面取り部（８４３）を通して、前記揺動レバー（５２６）の前記下部アーム（７３６）を前記揺動レバー作動位置まで移動するように駆動する、請求項１０に記載のドアロック。
【請求項１５】
前記ドアロック（１００）はスイッチボックス（２０５）を備え、前記スイッチ手段（５２０）及び前記揺動レバー（５２６）は前記スイッチボックス（２０５）の内部に配置され、前記駆動スライダー（３１１）は前記スイッチボックス（２０５）の外側に配置されており、
前記スイッチボックス（２０５）の底部（６２９）が孔（６３０）を有し、前記揺動レバー（５２６）の一端は、前記孔（６３０）を通って外向きに延在するとともに、前記駆動スライダー（３１１）により前記スイッチボックス（２０５）の外側に駆動されるように構成されている、請求項８に記載のドアロック。
【請求項１６】
ドアロックの制御回路（１１００）であって、
スイッチ手段（５２０）と、
前記スイッチ手段（５２０）を開放することができるスイッチ駆動手段（５２６）と、
前記スイッチ手段（５２０）を開放することができるロックピン（５２５）と、を備える、制御回路。
【請求項１７】
請求項１６に記載の制御回路（１１００）であって、
前記スイッチ駆動手段（５２６）は機械的構造体によって駆動され、
前記ロックピン（５２５）は電子信号によって駆動される、制御回路。
【請求項１８】
請求項１７に記載の制御回路（１１００）であって、
駆動スライダー（３１１）、を更に備え、
前記駆動スライダー（３１１）は前記スイッチ駆動手段（５２６）を駆動することができ、該駆動スライダー（３１１）はドアフック（１０２）によって駆動することができる、制御回路。
【請求項１９】
請求項１８に記載の制御回路（１１００）であって、
前記スイッチ駆動手段（５２６）は揺動レバーであり、該揺動レバーは前記スイッチ手段（５２０）を開放するように回転することができる、制御回路。
【請求項２０】
請求項１９に記載の制御回路（１１００）であって、
係止スライダー手段（３１０）を係止及び解除してカム（２０８）を係止位置で維持するか又は維持しないように構成されているロックピン（５２５）と、
電子駆動手段（１１５０）と、を更に備え、
前記電子駆動手段（１１５０）は、電子信号により、前記係止スライダー手段（３１０）を係止及び解除するように前記ロックピン（５２５）を作動させるように駆動される、制御回路。
【請求項２１】
請求項１７に記載の制御回路（１１００）であって、
接続端子（１１５１）、制御端子（１１５３）及び共通端子（１１５２）、を更に備え、
第１の電流ループが、前記スイッチ手段（５２０）を介して前記接続端子（１１５１）と前記共通端子（１１５２）との間に形成され、第２の電流ループが、前記電子駆動手段（１１５０）を介して前記制御端子（１１５３）と前記共通端子（１１５２）との間に形成されており、
前記第１の電流ループ及び前記第２の電流ループは、共通接続点（１１５５）を介して前記共通端子（１１５２）に接続されており、
前記接続端子（１１５１）は、前記第１の電流ループにおいて電気モーター（１１６０）を介して電源（１１６２）と直列に接続することができ、
前記制御端子（１１５３）は、前記第２の電流ループにおいて前記電子駆動手段（１１５０）を介して前記電源（１１６２）と直接に接続することができ、
前記共通端子（１１５２）は、前記電源（１１６２）のアースに接続され、
前記スイッチ手段（５２０）は閉鎖又は開放することができ、該スイッチ手段（５２０）の前記閉鎖又は開放により、前記第１の電流ループの接続又は切断が制御される、制御回路。
【発明の詳細な説明】
【技術分野】
【０００１】
［関連出願の相互参照］
本国際出願は、２０１８年９月２５日に出願された中国特許出願第２０１８１１１１５１６１．Ｘ号及び２０１８年９月２５日に出願された中国特許出願第２０１８２１５６７９０１．９号に対する優先権を主張し、これらの出願のそれぞれは、引用することによってその全内容が本明細書の一部をなす。
【０００２】
本出願は、電化製品のドアロック及びその制御回路に関する。
【背景技術】
【０００３】
目下、電化製品（洗濯機等）のドアは、ドアロックによって電化製品のパネルに係止される。こうしたドアロックは、或る特定の条件下で安全要件を満足させる必要がある。例えば、ドアロックフックが正常にドアロックから引き出されると、電化製品の電源を迅速且つ安全に切断することができる。更に、いくつかの極端な場合では、例えば、電化製品の動作中にドアが外力によって強制的に引っ張られた場合、ドアロックの関連構成要素（例えば、ドアロックフック、カム、スライダー又はロックピン）がその引張力によって破損し、電化製品のドアが強制的に開放された後もまた、ドアロックは、電化製品の電源を迅速に且つ安全に切断して、電化製品の動作を即座に停止する必要がある。
【発明の概要】
【０００４】
従来技術の上記欠点を考慮して、本出願は、安全な、信頼性の高い、高感度のドアロックとその制御装置とを提供し、それにより、電化製品のドアが強制的に開放されたとき、制御装置は、電化製品の動作を停止するように適時に電化製品の作動回路を切断することができる。更に、電化製品のドアが強制的に開放されたときに、ドアロックのカム又は他の構成要素が損傷している場合であっても、電化製品の動作を適時に停止することができることを確実にすることができる。
【０００５】
本出願の一態様は、スイッチ手段と、スイッチ手段を開放することができるスイッチ駆動手段と、スイッチ駆動手段を駆動することができるとともに、ドアフックによって駆動することができる駆動スライダーとを備える、ドアロックを提供する。
【０００６】
第１の態様によれば、スイッチ駆動手段は揺動レバーであり、揺動レバーは、スイッチ手段を開放するように回転することができる。
【０００７】
第１の態様によれば、ドアロックは、ドアフックを収納することができるとともに、係止位置を有するカムと、カムを係止位置で維持するように構成されている係止スライダー手段と、係止スライダー手段を係止するように構成されているロックピンとを更に備える。
【０００８】
第１の態様によれば、ロックピンは、ロックピン係止位置とロックピン係止解除位置とを有し、ロックピンがロックピン係止位置にあるとき、ロックピンは係止スライダー手段を係止し、ロックピンがロックピン係止解除位置にあるとき、ロックピンは係止スライダー手段を解放するとともに、スイッチ手段を開放する。
【０００９】
第１の態様によれば、正常な作動状態では、ロックピンは、スイッチ手段を開放することができ、強制的にドアが引っ張られる場合、スイッチ駆動手段は、スイッチ手段を開放することができる。
【００１０】
第１の態様によれば、係止スライダー手段は、第１の係止スライダー及び第２の係止スライダーであって、第１の係止スライダーは、カムによって第１の方向に沿って移動するように駆動することができ、第１の係止スライダーは、第２の係止スライダーを第２の方向に沿って移動するように駆動することができる、第１の係止スライダー及び第２の係止スライダーを備え、ロックピンは、第２の係止スライダーを係止するように構成され、第１の方向は第２の方向に対して垂直である。
【００１１】
第１の態様によれば、ドアロックは、スイッチボックス及びベースを備え、スイッチ手段はスイッチボックスの内側に位置し、駆動スライダー及び第２の係止スライダーは、スイッチボックスとベースとの間に並んで配置されるとともに、第２の方向に沿って移動する。
【００１２】
第１の態様によれば、スイッチ手段は、弾性片と、固定接点とを備え、揺動レバーの一端は弾性片を駆動することができ、揺動レバーは、揺動レバー作動位置と揺動レバーアイドル位置とを有し、揺動レバーが揺動レバー作動位置にあるとき、揺動レバーは、スイッチ手段を開放するように固定接点から弾性片を引き離し、揺動レバーが揺動レバーアイドル位置にあるとき、揺動レバーはスイッチ手段の閉鎖又は開放に影響を与えない。
【００１３】
第１の態様によれば、駆動スライダーは、ドアフックの移動とともに第２の方向に沿って、駆動スライダー係止位置と駆動スライダー係止解除位置との間で移動し、駆動スライダーが駆動スライダー係止位置にあるとき、駆動スライダーは、揺動レバーを揺動レバー作動位置まで移動するように駆動し、駆動スライダーが駆動スライダー係止解除位置にあるとき、駆動スライダーは、揺動レバーを揺動レバーアイドル位置まで移動するように駆動する。
【００１４】
第１の態様によれば、揺動レバーはシャフトを備え、揺動レバーはシャフトの周りに回転することができ、揺動レバーは、上部アーム及び下部アームを更に備え、上部アームの一端はシャフトに接続され、上部アームの他端は弾性片に接続するように構成されており、下部アームの一端はシャフトに接続され、下部アームの他端は駆動スライダーによって駆動することができる。
【００１５】
第１の態様によれば、揺動レバーのシャフトは、第２の方向に沿って駆動スライダーに対して平行に配置されている。
【００１６】
第１の態様によれば、駆動スライダーは復帰手段に接続されており、復帰手段は、駆動スライダーに仮締め力を加えて、駆動スライダーが駆動スライダー係止位置まで移動するのを可能にする。
【００１７】
第１の態様によれば、駆動スライダーはドアロック駆動面取り部を有し、ドアフックは、ドアロック駆動面取り部を通して駆動スライダーを駆動し、ドアフックが第３の方向に沿ってドアロック孔内に挿入されると、ドアフックは、ドアロック駆動面取り部を通して、駆動スライダーを第２の方向に沿って移動するように駆動する。
【００１８】
第１の態様によれば、駆動スライダーは揺動レバー駆動面取り部を有し、駆動スライダーは、揺動レバー駆動面取り部を通して揺動レバーの下部アームを駆動し、駆動スライダーが駆動スライダー係止位置にあるとき、駆動スライダーは、揺動レバー駆動面取り部を通して、揺動レバーの下部アームを揺動レバー作動位置まで移動するように駆動する。
【００１９】
第１の態様によれば、ドアロックはスイッチボックスを備え、スイッチ手段及び揺動レバーはスイッチボックスの内部に配置され、駆動スライダーはスイッチボックスの外側に配置されており、スイッチボックスの底部が孔を有し、揺動レバーの一端は、孔を通って外向きに延在するとともに、駆動スライダーによりスイッチボックスの外側に駆動されるように構成されている。
【００２０】
本出願の別の態様は、ドアロックの制御回路であって、スイッチ手段と、スイッチ手段を開放することができるスイッチ駆動手段と、スイッチ手段を開放することができるロックピンとを備える、制御回路を提供する。
【００２１】
第２の態様によれば、スイッチ駆動手段は機械的構造体によって駆動され、ロックピンは電子信号によって駆動される。
【００２２】
第２の態様によれば、制御回路は、駆動スライダーを更に備え、駆動スライダーはスイッチ駆動手段を駆動することができ、駆動スライダーはドアフックによって駆動することができる。
【００２３】
第２の態様によれば、スイッチ駆動手段は揺動レバーであり、揺動レバーはスイッチ手段を開放するように回転することができる。
【００２４】
第２の態様によれば、制御回路は、係止スライダー手段を係止及び解除してカムを係止位置で維持するか又は維持しないように構成されているロックピンと、電子駆動手段とを更に備え、電子駆動手段は、電子信号により、係止スライダー手段を係止及び解除するようにロックピンを作動させるように駆動される。
【００２５】
第２の態様によれば、制御回路は、接続端子、制御端子及び共通端子を更に備え、第１の電流ループが、スイッチ手段を介して接続端子と共通端子との間に形成され、第２の電流ループが、電子駆動手段を介して制御端子と共通端子との間に形成されており、第１の電流ループ及び第２の電流ループは、共通接続点を介して共通端子に接続されており、接続端子は、１の電流ループにおいて電気モーターを介して電源と直列に接続することができ、制御端子は、第２の電流ループにおいて電子駆動手段を介して電源と直接に接続することができ、共通端子は、電源のアースに接続され、スイッチ手段は閉鎖又は開放することができ、スイッチ手段の閉鎖又は開放を用いて、第１の電流ループの接続又は切断が制御することができる。
【００２６】
本出願の目的、特徴及び効果が完全に理解されるために、本出願の概念、具体的な構造及び技術的効果について、添付図面を参照して以下で更に詳細に説明する。
【図面の簡単な説明】
【００２７】
【図１】本出願のドアロック１００の概略構造正面斜視図である。
【図２】図１のドアロック１００のカムキャップ１０７が取り除かれた後のドアロック１００の概略構造背面斜視図である。
【図３】図２のスイッチボックス２０５及びドアフック１０２が取り除かれた後の概略構造斜視図である。
【図４Ａ】図３のベース１０１及び駆動スライダー３１１が取り除かれた後の概略構造正面斜視図である。
【図４Ｂ】図３のベース１０１及び駆動スライダー３１１が取り除かれた後の概略構造背面斜視図である。
【図４Ｃ】図３のベース１０１及び駆動スライダー３１１が取り除かれた後、且つ、図３のカム２０８が取り除かれた後の概略構造正面斜視図である。
【図４Ｄ】図３のベース１０１及び駆動スライダー３１１が取り除かれた後、且つ、図３のカム２０８が取り除かれた後の概略構造背面斜視図である。
【図５Ａ】スイッチボックス２０５のボックスカバーが取り除かれた後のスイッチボックス２０５の内側の構成要素とスイッチボックス２０５の構造とを示す概略構造斜視図である。
【図５Ｂ】スイッチボックス２０５のボックスカバーが取り除かれた後のスイッチボックス２０５の内側の構成要素とスイッチボックス２０５の構造とを示す概略構造斜視図である。
【図５Ｃ】スイッチボックス２０５のボックスカバーが取り除かれた後のスイッチボックス２０５の内側の構成要素とスイッチボックス２０５の構造とを示す概略構造斜視図である。
【図６】スイッチボックス２０５、駆動スライダー３１１及び第２の係止スライダー３１８の後側を示す概略構造斜視図である。
【図７Ａ】２つの角度のうちの１つからの揺動レバー５２６の概略構造斜視図である。
【図７Ｂ】２つの角度のうちの１つからの揺動レバー５２６の概略構造斜視図である。
【図８Ａ】揺動レバー５２６と、駆動スライダー３１１と、ドアフック１０２との間の２つの協働関係のうちの１つを示す概略構造図である。
【図８Ｂ】揺動レバー５２６と、駆動スライダー３１１と、ドアフック１０２との間の２つの協働関係のうちの１つを示す概略構造図である。
【図９Ａ】ドアフック１０２が３つの異なる位置のうちの１つにあるときの係止スライダー手段３１０と、駆動スライダー３１１と、ロックピン５２５と、揺動レバー５２６との間の協働を示す概略構造図である。
【図９Ｂ】ドアフック１０２が３つの異なる位置のうちの１つにあるときの係止スライダー手段３１０と、駆動スライダー３１１と、ロックピン５２５と、揺動レバー５２６との間の協働を示す概略構造図である。
【図９Ｃ】ドアフック１０２が３つの異なる位置のうちの１つにあるときの係止スライダー手段３１０と、駆動スライダー３１１と、ロックピン５２５と、揺動レバー５２６との間の協働を示す概略構造図である。
【図１０Ａ】図９Ａのドアフック１０２の位置に対応する線Ａ−Ａに沿った断面図である。
【図１０Ｂ】図９Ｂのドアフック１０２の位置に対応する線Ｂ−Ｂに沿った断面図である。
【図１０Ｃ】図９Ｃのドアフック１０２の位置に対応する線Ｃ−Ｃに沿った断面図である。
【図１１Ａ】種々の状態のうちの１つにある制御回路１１００の概略図である。
【図１１Ｂ】種々の状態のうちの１つにある制御回路１１００の概略図である。
【図１１Ｃ】種々の状態のうちの１つにある制御回路１１００の概略図である。
【図１１Ｄ】種々の状態のうちの１つにある制御回路１１００の概略図である。
【発明を実施するための形態】
【００２８】
本出願は、２０１３年１月１６日に出願され、「Lock device and means mounted with the same」と題する中国特許出願第２０１３１００１６１２０．６号に関連し、その出願は、引用することによりその全体が本明細書の一部をなす。
【００２９】
ここで、本出願の様々な具体的な実施形態について、本明細書の一部を形成する添付図面を参照して以下に説明する。本出願において、本出願の例示的な構造部及び要素を説明するために、方向を表す用語、例えば、「前」、「後」、「上」、「下」、「左」、「右」、「頂部」及び「底部」等の方向又は向きを示す用語が用いられていることが理解されるべきである。しかしながら、こうした用語は、説明の便宜上でのみ用いられるものであり、添付図面に示す例示的な向きに基づいて決定されている。本出願に開示する実施形態は、種々の向きで構成することができるため、こうした方向を示す用語は、単に例示の目的で用いられ、限定するようには意図されていない。可能な場合はいつでも、以下添付図面を通して、説明の繰返しを回避するために、同じか又は同様の部分を参照するために同じか又は同様の参照番号を用いる。
【００３０】
具体的な実施形態の説明の便宜上、本出願は、例として、方向ｘ（第１の方向）としてドアロック１００の幅方向を使用し、方向ｙ（第２の方向）としてドアロック１００の長さ方向を使用し、方向ｚ（第３の方向）としてドアロックの高さ方向を使用することによって説明する。
【００３１】
図１は、本出願のドアロック１００の概略構造正面斜視図であり、そこでは、ドアロック１００におけるドアロック孔１０３とドアフック１０２との相対位置が示されている。図１に示すように、ドアロック１００はベース１０１を含む。ベース１０１の左側部分の前側に、ドアロック孔１０３が設けられており、ベース１０１の左側部分の後側は、カムキャップ１０７に接続されている。ドアロック孔１０３は、ドアフック１０２を収容するように構成されている。ドアフック１０２は、電化製品（図示せず）のドアに取り付けられ、ドアの開閉中、ドアフック１０２は、電化製品のドアの移動とともに垂直に移動して、ドアロック孔１０３に進入するとともにそこから離脱する。ドアフック１０２は、ドアロック孔１０３の上方に位置する。ドアフック１０２がベース１０１の前側でドアロック孔１０３を通してドアロック１００に挿入されるとき、ドアフック１０２は、ドアロック１００の内側でカム２０８（図２のカム２０８を参照）に締結される。カム２０８が係止されると、それに従って、電化製品のドアが係止される。
【００３２】
図２は、ベース１０１と、スイッチボックス２０５と、カム２０８との位置関係をより具体的に示す、図１のドアロック１００のカムキャップ１０７が取り除かれた後のドアロック１００の概略構造背面斜視図である。
【００３３】
図２に示すように、カムキャップ１０７（図２には示さず）及びスイッチボックス１０５は、ベース１０１の上方に並んで且つ方向ｙ（第２の方向）に沿って互いに隣接して配置されている。ベース１０１の上にカム２０８が設けられており、カム２０８は、カムキャップ１０７の下方に且つドアロック孔１０３の上方に配置され（図１を参照すると、カム２０８はドアロック孔１０３の下方に配置されている）、それにより、ドアロック孔１０３を通してカム２０８によりドアフック１０２を収納することができる。ドアの閉鎖中、ドアフック１０２は、下から上に向かってドアロック孔１０３内に挿入され（図１を参照すると、ドアフック１０２は、上から下に向かってドアロック孔１０３内に挿入される）、それにより、カム２０８を、その係止位置まで回転するように押すことができ、ドアの開放中、ドアフック１０２は、上から下に向かってドアロック孔１０３から引き出され、それにより、カム２０８を、その係止位置から（又はその係止解除位置に）離脱するように引っ張ることができる。
【００３４】
具体的には、カム２０８に開口スロット２８２が設けられている。開口スロット２８２は、ドアフック１０２の端部を収容するように構成されている。開口スロット２８２の上端及び下端は、ドアフック１０２の前端と接触するように構成されている。ドアフック１０２がドアロック孔１０３に挿入されると、ドアフック１０２の前端の外側が開口スロット２８２の上端を押圧して、カム２０８を右回りに回転するように押し、それにより、開口スロット２８２の下端がドアフック１０２の孔１８１内に挿入されてドアフック１０２を引っ掛け、カム２０８はその係止位置に達する。ドアフック１０２がドアロック孔１０３から引き出されると、ドアフック１０２の前端の外側は開口スロット２８２の下端を押圧してカム２０８を左回りに回転するように引っ張り、それにより、開口スロット２８２の下端はドアフック１０２の孔１８１から離脱し、カム２０８はその係止位置から（又はその係止解除位置に）離脱する。
【００３５】
カム２０８は、スピンドル２８３を介してベース１０１に両側で固定されており、それにより、カム２０８はスピンドル２８３の周りに回転することができる。カム２０８に、弾性構成要素２０９が取り付けられている。弾性構成要素２０９は、カム２０８に或る特定の仮締め力を加えて、カム２０８の回転を駆動又は停止する。弾性構成要素２０９は、図２に示すねじりばねとすることができるが、他の弾性構成要素とすることもできる。弾性構成要素２０９がカム２０８に作用する際、カム２０８は、変曲点に達した後、外力（ドアを閉鎖するために加えられる力）により迅速に戻るように回転して、補助的なドア引張力を発生させることができ、それにより、カム２０８の開口スロット２８２の下端がドアフック１０２の孔１８１に引っ掛けられ、それに対応して、ドアを開放しようとするとき、弾性構成要素は洗濯機のドアが意図せずに開放されるのを阻止する抵抗を生成する。同様に、係止されていないとき（例えば、係止スライダー手段によって係止されていないとき）、こうした機構は弾性があり、必要な場合、電化製品のドアは、電化製品の内側から開放するように押すことができる。
【００３６】
図２において、ドアロック１００は、スイッチボックス２０５を更に備える。スイッチボックス２０５は、ベース１０１の左側に取り付けられている（図１を参照すると、スイッチボックス２０５はベース１０１の右側に取り付けられている）。スイッチボックス２０５は、主に、カム２０８を係止又は係止解除する間（図９Ａ〜図９Ｃを参照）スイッチ手段を閉鎖又は開放するように（図１０Ａ〜図１０Ｃを参照）、係止スライダー手段を係止又は係止解除するようにロックピンの移動を制御するように機能するとともに、電化製品の電源又は主回路電源を入れるか又は切断するように（図１１Ａ〜図１１Ｄを参照）、スイッチ手段を閉鎖又は開放する揺動レバー（図７Ａ及び図７Ｂを参照）の移動を制御するように機能する。
【００３７】
図３は、ベース１０１の内側の構成要素を示すとともに、カム２０８と、係止スライダー手段３１０と、駆動スライダー３１１との位置関係を示す、図２のスイッチボックス２０５及びドアフック１０２が取り除かれた後の概略構造斜視図である。
【００３８】
図３に示すように、カム２０８をその係止位置で維持及び係止するように構成された係止スライダー手段３１０は、ベース１０１の内側に取り付けられている。例えば、係止スライダー手段３１０は、方向ｘに沿って移動可能な第１の係止スライダー４１７（図４Ａ及び図４Ｂを参照）と、方向ｙに沿って移動可能な第２の係止スライダー３１８とを備える。第２の係止スライダー３１８を係止することにより、第１の係止スライダー４１７を係止することができ、それにより、カム２０８をその係止位置で維持及び係止することができる。
【００３９】
ベース１０１の内側に、駆動手段３１１が更に配置されている。駆動手段３１１と第２の係止スライダー３１８とは、スイッチボックス２０５とベース１０１との間に並んで配置されており、駆動手段３１１は、第２の係止スライダー３１８の右側に配置されている。例えば、駆動手段３１１はスライダーである。このスライダーは、一実施形態では細長いスライダーとすることができるが、他の形態及び形状の駆動手段とすることもできる。
【００４０】
図３において、ベース１０１の内側に、ばね３１５及びばね３１２が並んで更に配置されている。ばね３１５の一端は、第２の係止スライダー３１８の尾端を押圧し、ばね３１５の他端は、ベース１０１の内壁３０６を押圧する。ばね３１５は、第２の係止スライダー３１８に或る特定の仮締め力を加えるように構成されている。ばね３１５は、第１の係止スライダー４１７とともに作用し、それにより、第２の係止スライダー３１８は、方向ｙ（第２の方向）に沿って往復運動することができる。同様に、ばね３１２の一端は、駆動スライダー３１１の尾端を押圧し、他端は、ベース１０１の内壁３０６を押圧する。ばね３１２はカム２０８とともに作用し、それにより、駆動スライダー３１１もまた、方向ｙ（第２の方向）に沿って往復運動することができる。当業者であれば、ばね３１５及び３１２が、或る特定の仮締め力を提供することができる他の弾性構成要素とすることもできることが理解されるはずである。
【００４１】
図４Ａ〜図４Ｄは、カム２０８と係止スライダー手段３１０（第１の係止スライダー４１７及び第２の係止スライダー３１８を含む）との間の協働関係を示すとともに、係止スライダー手段３１０を移動するように駆動するカム２０８のプロセスを示す、図３のベース１０１、駆動スライダー３１１、ばね３１２及び弾性構成要素２０９が取り除かれた後、及びカム２０８が取り除かれた後の、概略構造正面斜視図及び背面斜視図である。図４Ａは、第１の係止スライダー４１７を駆動するカム２０８のプロセスを示す正面図であり、図４Ｂは、第２の係止スライダー３１８を駆動する第１の係止スライダー４１７のプロセスを示す背面図である。図４Ｃ及び図４Ｄは、第１の係止スライダー４１７と第２の係止スライダー３１８との間の協働関係をより明確に示すように図４Ａ及び図４Ｂからカム２０８が取り除かれた後の構造を示す。
【００４２】
図４Ａ〜図４Ｄに示すように、第１の係止スライダー４１７及び第２の係止スライダー３１８は、垂直方向に配置されており、第２の係止スライダー３１８は、スライダーの本体又はスライダーの長さ方向（すなわち、方向ｙ）に沿ってカム２０８の回転平面４９０（すなわち、ｘｚ平面）に対して垂直である。図４Ａ〜図４Ｄにおいて、第１の係止スライダー４１７はカム２０８の下方に配置されており、第２の係止スライダー３１８はカム２０８の一方の側にある。ベース１０１にばね４８５が更に配置されている。ばね４８５の一端は、第１の係止スライダー４１７の尾端を押圧し、ばね４８５の他端は、ベース１０１の内壁３０６（図４Ａ〜図４Ｄには示さず）を押圧する。ばね４８５は、第１の係止スライダー４１７に或る特定の仮締め力を加えるように構成されている。第１の係止スライダー４１７の頭部４９２が、カム２０８の底部４９４を押圧し、第１の係止スライダー４１７の側部の面取り部４２１が、第２の係止スライダー３１８の頭端の相補的な面取り部４２２を押圧する。このように、第２の係止スライダー３１８がロックピン５２５（図５Ａ〜図５Ｃを参照）によって係止されていない場合、カム２０８が左回りに回転すると（ドアフック１０２がドアロック孔１０３から離脱すると）、カム２０８の底部４９４は、第１の係止スライダー４１７の頭部４９２に力を加え、それにより、第１の係止スライダー４１７は、方向ｘに沿ってその係止位置からその係止解除位置に戻るように移動し、第１の係止スライダー４１７の移動によりばね４８５が圧縮され、一方、カム２０８が右回りに回転すると（ドアフック１０２がドアロック孔１０３に挿入されると）、カム２０８の底部４９４は第１の係止スライダー４１７の頭部４９２から離れて、ばね４８５によって発生する弾性力が、カム２０８に対するねじりばね２０９の弾性力を克服し、第１の係止スライダー４１７を、方向ｘに沿って係止解除位置から係止位置に向かって移動するように駆動する。
【００４３】
同様に、第２の係止スライダー３１８がロックピン５２５（図５Ａ〜図５Ｃを参照）によって係止されていない場合、第１の係止スライダー４１７が方向ｘに沿ってその係止位置からその係止解除位置まで移動すると、第１の係止スライダー４１７の面取り部４２１が、第２の係止スライダー３１８の相補的な面取り部４２２に力を加え、２つの相補的な面取り部において発生した分力により、第２の係止スライダー３１８が方向ｙに沿ってその係止位置からその係止解除位置まで移動し、第２の係止スライダー３１８の移動によりばね３１５が圧縮され、一方、第１の係止スライダー４１７が方向ｘに沿ってその係止解除位置からその係止位置に向かって移動すると、第１の係止スライダー４１７の面取り部４２１が、第２の係止スライダー３１８の相補的な面取り部４２２に加えられる力を解除し、ばね３１５は、第２の係止スライダー３１８を押して、方向ｙに沿ってその係止解除位置からその係止位置に向かって移動させる。
【００４４】
第２の係止スライダー３１８の上に、ロックピン５２５（図５Ａ〜図５Ｃを参照）を収納するように構成された係止孔４１９が設けられている。第２の係止スライダー３１８及び第１の係止スライダー４１７がそれらのそれぞれの係止位置にあるとき、第１の係止スライダー４１７はカム２０８を係止位置で維持する。この場合、ロックピン５２５（図５Ａ〜図５Ｃを参照）が係止孔４１９に挿入された場合、第２の係止スライダー３１８は係止され、第１の係止スライダー４１７及びカム２０８はそれに対応して係止され、それにより、カム２０８においてドアフック１０２を係止することができる。
【００４５】
しかしながら、この場合、ロックピン５２５が係止孔４１９から離脱した場合、第２の係止スライダー３１８はロックピン５２５によって係止されず、ドアフック１０２をカム２０８から引き出すことができるため、第２の係止スライダー３１８及び第１の係止スライダー４１７が係止位置にある場合であっても、第１の係止スライダー４１７はカム２０８を係止位置で維持する。ドアフック１０２を引き出すことにより、第１の係止スライダー４１７及び第２の係止スライダー３１８をその係止位置からその係止解除位置まで移動させることができる。
【００４６】
したがって、第１の係止スライダー４１７及び第２の係止スライダー３１８の伝達機能を通して、カム２０８の回転運動を、方向ｙに沿った第２の係止スライダー３１８の直線運動に変換することができる。このように、カム２０８の係止をより容易に制御することができる（例えば、カム２０８は、図５Ａ〜図５Ｃのロックピン５２５によって第２の係止スライダー３１８を係止するか又はその係止を解除することによって制御される）だけではなく、小型の長方形構造が達成され、ドアロック１００の長さが更に縮小される。更に、係止スライダー手段３１０の精度及び強度に対する要件が低下する。
【００４７】
図５Ａ〜図５Ｃは、スイッチボックス２０５のボックスカバーが取り除かれた後のスイッチボックス２０５の内側の構成要素とスイッチボックス２０５の構造とを示す概略構造斜視図である。図５Ａは、弾性片５２４と、揺動レバー５２６と、ロックピン５２５との相対位置を示す概略図であり、図５Ｂは、弾性片５２４が取り除かれた後のスイッチボックス２０５における揺動レバー５２６及びロックピン５２５の位置を示す概略図であり、図５Ｃは、弾性片５２４及び揺動レバー５２６が更に取り除かれた後のスイッチボックス２０５の詳細な構造を示す。
【００４８】
図５Ａ〜図５Ｃに示すように、スイッチボックス２０５は、スイッチ手段５２０、スイッチ駆動手段５２６及びロックピン５２５を備える。
【００４９】
スイッチ手段５２０は、弾性片５２４を備える。弾性片５２４は方向ｘに沿って延在している。弾性片５２４の中間部分は、スイッチボックス２０５の内側に接続されている。弾性片５２４の尾端は、可動接点５８６に接続されている。スイッチ手段５２０は、可動接点５８６の下方に位置する固定接点５２３を更に備える。可動接点５８６及び固定接点５２３を、互いに接触するか又は互いから引き離すように制御することにより、スイッチ手段５２０の閉鎖及び開放を制御することができ、それにより、作動回路の接続及び切断を制御することができる。具体的には、固定接点５２３の位置は固定されており、可動接点５８６は、固定接点５２３に対して移動することができる。弾性片５２４の中間部分と尾端（すなわち、可動接点５８６が設けられている尾端）との間の部分が上向きの力を受けると、尾端の可動接点５８６は上向きに移動して固定接点５２３から離れ、そのためスイッチ手段５２０を開放することができる。弾性片５２４がいかなる外力も受けていないとき、弾性片５２４は、弾性力の作用によりその初期位置に復帰する。初期位置では、可動接点５８６は固定接点５２３と接触して、スイッチ手段５２０を閉鎖する。
【００５０】
スイッチ駆動手段５２６及びロックピン５２５は、弾性片５２４の下方に位置し、ともに、スイッチ手段５２０を開放するように、弾性片５２４に上向きの力を加えるように構成することができる。スイッチボックス２０５の空間を節約するために、スイッチ駆動手段５２６及びロックピン５２５の具体的な位置は合理的に配置することができ、例えば、スイッチ駆動手段５２６及びロックピン５２５は、方向ｘにおいて並んで配置することができる。一例として、ロックピン５２５は、スイッチ駆動手段５２６よりも弾性片５２４の端部の可動接点５８６に近く、それにより、ロックピン５２５は、方向ｚにおいて大きい移動範囲を有することができる。
【００５１】
図に示す例では、スイッチ駆動手段５２６は、揺動レバーであり、機械的構造体によって駆動されて、弾性片５２４を押し上げるように回転することができる。当然ながら、スイッチ駆動手段５２６はまた、他の形態での駆動部分とすることもでき、例えば、弾性片５２４は、直線運動によって押し上げられる。
【００５２】
図５Ｂは、弾性片５２４の下方に位置する揺動レバー５２６及びロックピン５２５と、可動接点５８６の下方に位置する固定接点５２３とをより明確に示す。一例として、揺動レバー５２６及びロックピン５２５は、前後方向（方向ｘ）に沿って弾性片５２４の下方に配置され、固定接点５２３及びロックピン５２５は、弾性片５２４の幅方向（方向ｙ）において並んで配置されている。揺動レバー５２６は回転運動し、ロックピン５２５は垂直運動するが、２つの運動の両方によりスイッチ手段５２０を開放することができる。
【００５３】
具体的には、図５Ｂにおいて、揺動レバー５２６は、揺動レバー作動位置と揺動レバーアイドル位置とを有し、ロックピン５２５は、ロックピン係止位置（すなわち、ロックピン５２５が、第２の係止スライダー３１８の係止孔４１９内に挿入されている）とロックピン係止解除位置（すなわち、ロックピン５２５が、第２の係止スライダー３１８の係止孔４１９から離脱している）とを有する。揺動レバー５２６がアイドル位置にあるとともに、ロックピン５２５が係止位置にあるとき、弾性片５２４の可動接点５８６は揺動レバー５２６及びロックピン５２５から制約を受けず、したがって、固定接点５２３と接触して、スイッチ手段５２０を閉鎖することができる。揺動レバー５２６が作動位置にあり、又はロックピン５２５がその係止解除位置にあるとき、揺動レバー５２６又はロックピン５２５は弾性片５２４を押して、固定接点５２３から弾性片５２４の可動接点５８６を引き離してスイッチ手段５２０を開放する。
【００５４】
図５Ｃにおいて、揺動レバー５２６が更に取り除かれており、それにより、スイッチボックス２０５の内側の揺動レバー５２６の取付空間及び構造をより明確に示すことができる。図５Ｃに示すように、スイッチボックス２０５は、揺動レバー５２６が内部に取り付けられるように構成されたチャンバー５３１を有する。チャンバー５３１の２つの対向する側壁の頂部に、２つの締付溝５３３がそれぞれ設けられている。締付溝５３３は、揺動レバー５２６のシャフト７３２（図７Ａ及び図７Ｂを参照）を収容することができる。図に示す例では、締付溝５３３の構成により、揺動レバー５２６のシャフト７３２は方向ｙに沿って配置される。当然ながら、他の例では、揺動レバー５２６がシャフト７３２の周りを回転して弾性片５２４を押し上げ、それにより弾性片５２４の可動接点５８６を固定接点５２３から引き離すことができる限り、シャフト７３２を方向ｘに沿って配置することができる。
【００５５】
更に、スイッチボックス２０５の底部６２９は、チャンバー５３１と連通する孔６３０（図６を参照）を有し、チャンバー５３１内の揺動レバー５２６は、孔６３０を通ってスイッチボックス２０５の外側に向かって延在することができるとともに、駆動スライダー３１１（図６を参照）によって駆動されるように構成されている。
【００５６】
当然ながら、スイッチ駆動手段が、他の構成要素であるか、又は他の形態の移動を通して弾性片５２４を駆動する場合、当業者であれば、異なるタイプのスイッチ駆動手段を収容するようにスイッチボックス２０５内の異なる構造のチャンバーを設計することができ、それらは全て本出願の保護範囲内にある。
【００５７】
更に、図５Ａ〜図５Ｃに示すように、スイッチボックス２０５は、ドライバーハウジング５２８、鉄心ハウジング５９５、自己係止ブロック５８８及び押込み機構５８７を更に備える。ドライバーハウジング５２８は、電子駆動手段（図５Ａ〜図５Ｃには示さず、図１１Ａ及び図１１Ｂに示す電子駆動手段１１５０）を収容するように構成され、電子駆動手段１１５０は、自己係止ブロック５８８を通してロックピン５２５を上向き又は下向きに移動するように駆動して、係止スライダー手段３１０を係止又は係止解除し、スイッチ手段５２０を閉鎖又は開放することができる。一例として、電子駆動手段１１５０は電磁石であり、ドライバーハウジング５２８はコイル１１７２を収容し、鉄心ハウジング５９５は鉄心１１７３を収容し、鉄心１１７３はコイル１１７２内に挿入されている（図５Ａ〜図５Ｃには示さず、図１１Ａ及び図１１Ｂを参照）。鉄心１１７３は自己係止ブロック５８８に接続されており、それにより、鉄心１１７３は、ロックピン５２５を移動するように駆動するように、自己係止ブロック５８８を移動するように駆動することができる。図に示す例では、ロックピン５２５は、垂直に移動し、また、ベース１０１の第２の係止スライダー３１８と係合するようにスイッチボックス２０５の底部を貫通して外向きに延在し、第２の係止スライダー１３８の係止孔４１９内に挿入されるか又はそこから離脱する。
【００５８】
具体的には、自己係止ブロック５８８は、係止状態及び係止解除状態を有し、電子駆動手段１１５０の鉄心１１７３によって押されて２つの状態間で切り替わることができる。鉄心１１７３が移動するたびに、自己係止ブロック５８８はそれに応じて移動し、係止状態と係止解除状態との間で１回切り替わる。電化製品の回路基板（図示せず）によって送信される駆動信号（又は制御信号）は励磁信号とすることができ、各励磁パルスが、自己係止ブロック５８８を押して１回移動させるように、鉄心１１７３を１回移動させることができる。自己係止ブロック５８８及びロックピン５２５の相対位置は妥当に配置され、それにより、自己係止ブロック５８８が係止状態又は係止解除状態にあるとき、ロックピン５２５は、それに対応してその係止解除位置又は係止位置にある。
【００５９】
自己係止ブロック５８８内に機械的反転手段が配置されている。一実施形態として、機械的反転手段は押込み機構５８７とすることができる。係止解除状態にある自己係止ブロック５８８が前方に押されると、押込み機構５８７は、自己係止ブロック５８８が押される位置において自己係止ブロック５８８を係止することができ、それにより、自己係止ブロック５８８はその元の位置に復帰することができず、すなわち、係止状態に変化し、ロックピン５２５は、第２の係止スライダー３１８の係止孔４１９から離脱する（すなわち、係止解除位置）ように上向きに持ち上げられ、一方、係止状態にある自己係止ブロック５８８が前方に押されると、押込み機構５８７は自己係止ブロック５８８を係止解除することができ、それにより、自己係止ブロック５８８はその元の位置に復帰し、すなわち、係止解除状態に変化し、ロックピン５２５は、下げられ、第２の係止スライダー３１８の係止孔４１９内に挿入される（すなわち、係止位置）。一実施形態として、押込み機構５８７は、様々な方法で、例えば、「ボールペンリフィル押込み機構」で実施することができる。スイッチボックス２０５は２つの状態、すなわち、係止解除状態（ロックピン５２５の係止解除位置に対応する）と係止状態（ロックピン５２５の係止位置に対応する）とを有する。機械的反転手段は、スイッチボックス２０５の現状態を変化させるか又は維持するように構成されている。
【００６０】
正常な状態では、電化製品がドア開放状態に入ると、電化製品の回路基板（図示せず）は、スイッチボックス２０５にパルス駆動信号を送信し、電子駆動手段１１５０を通して自己係止ブロック５８８を駆動して、電化製品の作動回路を切断するように、ロックピン５２５を、持ち上がって（すなわち、第２の係止スライダー３１８の係止孔４１９から離脱して）弾性片５２４を押し上げるように駆動し、外力を通して電化製品のドアが開放されるのを可能にするように、第２の係止スライダー３１８を係止解除してカム２０８を解放する。
【００６１】
電化製品のドアが強制的に開放されるとき、すなわち、ロックピン５２５が依然として第２の係止スライダー３１８の係止孔４１９に挿入されているとき、外力が、電化製品からドアフック１０２を強制的に引き出す。この場合、揺動レバー５２６をその作動位置まで回転させることにより、電化製品の作動回路もまた即座に切断することができる。
【００６２】
図６は、駆動スライダー３１１と、第２の係止スライダー３１８と、スイッチボックス２０５との位置関係を示すとともに、駆動スライダー３１１及び第２の係止スライダー３１８の組立方向を示す、スイッチボックス２０５、駆動スライダー３１１及び第２の係止スライダー３１８の後側を示す概略構造斜視図である。図６に示すように、スイッチボックス２０５の底部に孔６３０が設けられており、揺動レバー５２６（揺動レバー５２６の具体的な構造は図７Ａ及び図７Ｂを参照）の端部が、孔６３０を通ってスイッチボックス２０５の外側に向かって延在している。孔６３０のサイズは揺動レバー５２６の端部よりも大きく、それにより、孔６３０を通って外向きに延在した後、揺動レバー５２６の端部は依然として或る特定の範囲で移動することができる。揺動レバー５２６の端部が外向きに延在する部分は、駆動スライダー３１１によって、揺動レバー５２６を回転させるように、スイッチボックス２０５の外側から駆動することができる。
【００６３】
図６に見ることができるように、ロックピン５２５の端部もまた、スイッチボックス２０５の底部から外向きに延在している。ロックピン５２５が垂直に移動すると、延在部分を係止孔４１９内に挿入するとともに係止孔４１９から引き出すことができる。
【００６４】
駆動スライダー３１１は、スイッチボックス２０５の幅方向（すなわち、方向ｙ）に沿ってスイッチボックス２０５の後側に配置され、揺動レバー５２６と協働するように構成されている。同様に、第２の係止スライダー３１８及び駆動スライダー３１１は、スイッチボックス２０５の後側に並んで配置され、ロックピン５２５と協働するように構成されている。
【００６５】
図７Ａ及び図７Ｂは、揺動レバー５２６の具体的な構造を示す、２つの異なる角度からの揺動レバー５２６の概略構造斜視図である。
【００６６】
図７Ａ及び図７Ｂに示すように、揺動レバー５２６は、シャフト７３２、上部アーム７３５及び下部アーム７３６を含む。上部アーム７３５及び下部アーム７３６は、シャフト７３２に接続されている。力を受けると、下部アーム７３６は、上部アーム７３５を作動させて、ともにシャフト７３２の周りを回転する。揺動レバー５２６は、チャンバー５３１内に収容されており、上部アーム７３５の一端は弾性片５２４と接触することができ、下部アーム７３６の一端は孔６３０を通ってスイッチボックス２０５から延出し、それにより、スイッチボックス２０５の外側の駆動スライダー３１１が下部アーム７３６を駆動することができる。
【００６７】
図７Ａ及び図７Ｂに示す例では、上部アーム７３５及び下部アーム７３６は、シャフト７３２において曲がっており、互いに実質的に垂直である。一例として、シャフト７３２は、方向ｙに沿って駆動スライダー３１１に対して平行に配置され、上部アーム７３５は方向ｘに沿って配置され、下部アーム７３６は方向ｚに沿って配置されている。揺動レバー５２６が作動位置にあるとき、上部アーム７３５は、弾性片５２４を押し上げてスイッチ手段５２０を開放し、一方、揺動レバー５２６がアイドル位置にあるとき、下部アーム７３６は後退し、スイッチ手段５２０の閉鎖又は開放に影響を与えない。
【００６８】
具体的には、上部アーム７３５の端部に突起７３８が更に設けられている。突起７３８は、上向きに突出し、弾性片５２４と接触するように構成されている。図７Ａ及び図７Ｂに示す例では、突起７３８は、方向ｙに沿って、上部アーム７３５の幅を越えるように或る一定の長さだけ延在している。突起７３８は、弾性片５２４の幅に近いか又は等しい長さを有し、それにより、揺動レバー５２６が弾性片５２４に力を加えると、弾性片５２４は均一に力を受ける。当然ながら、上部アーム７３５の一端が弾性片５２４と接触して弾性片５２４を押し上げることができる限り、突起７３８の長さは他のように設定することもでき、又は、突起７３８を省略することができる。
【００６９】
一実施形態として、下部アーム７３６の端部に、駆動スライダー３１１と接触する下部アーム７３６の接触点を増大させるように、湾曲ハンドル７３９が更に設けられている。湾曲ハンドル７３９の縁は面取り部７３７を有する。面取り部７３７は、駆動スライダー３１１の揺動レバー駆動面取り部８４３（図８Ａ及び図８Ｂを参照）と相補的であり、それにより、駆動スライダー３１１は、揺動レバー５２６を回転させるように下部アーム７３６を駆動することができる。揺動レバー５２６が駆動される具体的な方法については、駆動スライダー３１１の具体的な構造を参照して詳細に後述する。
【００７０】
図８Ａ及び図８Ｂは、揺動レバー５２６と、駆動スライダー３１１と、ドアフック１０２との間の２つの協働関係を示す、概略構造図である。図８Ａは、駆動スライダー３１１と揺動レバー５２６との間の協働関係を示す背面図であり、図８Ｂは、揺動レバー５２６と、駆動スライダー３１１と、ドアフック１０２との間の協働関係を示す正面図である。
【００７１】
図８Ａ及び図８Ｂに示すように、駆動スライダー３１１は、実質的に細長く、方向ｙに沿って延在する長さを有し、方向ｙに沿って移動可能である。駆動スライダー３１１の側面は、揺動レバー駆動面取り部８４３を有し、揺動レバー５２６の下部アーム７３６の面取り部７３７は、駆動スライダー３１１の側面の揺動レバー駆動面取り部８４３を押圧し、面取り部７３７及び揺動レバー駆動面取り部８４３は、相補的な形状を有する。更に、駆動スライダー３１１は、その前端の下部にドアロック駆動面取り部８４２を有する。ドアロック駆動面取り部８４２は、前後方向に沿って垂直に傾斜しており、それにより、ドアロック駆動面取り部８４２は、駆動スライダー３１１の底面と鈍角をなしている。ドアフック１０２の端部は、ドアロック駆動面取り部８４２と一致する面取り部８４４を有する。面取り部は、互いに押圧しているとき相補的な接触面を形成することができる。
【００７２】
したがって、ドアフック１０２がドアロック孔１０３に挿入されると、ドアフック１０２の面取り部８４４は、駆動スライダー３１１のドアロック駆動面取り部８４２を押圧し、それにより、ドアフック１０２の面取り部８４４は、駆動スライダー３１１のドアロック駆動面取り部８４２に力を加え、２つの相補的な面取り部において発生する分力が、駆動スライダー３１１を押して、方向ｙに沿ってその係止位置からその係止解除位置に向かって移動させ、駆動スライダー３１１はばね３１２を圧縮し、一方、ドアフック１０２がドアロック孔１０３から引き出されると、ドアフック１０２の面取り部８４４は、駆動スライダー３１１のドアロック駆動面取り部８４２に加えられる力を解除し、ばね３１２は、駆動スライダー３１１を押して、方向ｙに沿ってその係止解除位置からその係止位置に向かって移動させる。
【００７３】
駆動スライダー３１１の側面は、方向ｘに沿って凹状になっている凹状部８４５を有し、揺動レバー駆動面取り部８４３は、凹状部８４５の側面に配置されている。駆動スライダー３１１が駆動スライダー係止解除位置にある（すなわち、ドアフック１０２がドアロック孔１０３内に挿入されている）とき、凹状部８４５は、揺動レバー５２６の下部アーム７３６を収容するように構成されており、一方、駆動スライダー３１１が駆動スライダー係止位置にある（すなわち、ドアフック１０２がドアロック孔１０３から引き出されている）とき、揺動レバー５２６の下部アーム７３６は駆動スライダー３１１の非凹状部を押圧する。
【００７４】
したがって、駆動スライダー３１１が方向ｙに沿ってその係止位置からその係止解除位置まで移動すると、駆動スライダー３１１の揺動レバー駆動面取り部８４３は、揺動レバー５２６の下部アーム７３６の面取り部７３７に力を加え、２つの相補的な面取り部において発生する分力が、揺動レバー５２６の下部アーム７３６を押して左回りに回転させ、それにより、揺動レバー５２６は、そのアイドル位置からその作動位置まで回転し、揺動レバー５２６の上部アーム７３５は、弾性片５２４の弾性力を克服して、弾性片５２４を押し上げ（すなわち、スイッチ手段５２０を開放し）、一方、駆動スライダー３１１が方向ｙに沿ってその係止解除位置からその係止位置まで移動すると、駆動スライダー３１１の揺動レバー駆動面取り部８４３は、揺動レバー５２６の下部アーム７３６の面取り部７３７に加えられる力を解除し、弾性片５２４は、揺動レバー５２６の上部アーム７３５に弾性力を加えて、揺動レバー５２６を右回りに回転させるとともに、揺動レバー５２６の上部アーム７３５を下向きに後退させ、それにより、揺動レバー５２６は、その作動位置からそのアイドル位置まで回転し、スイッチ手段５２０の閉鎖又は開放に影響を与えない。
【００７５】
したがって、駆動スライダー３１１が駆動スライダー係止位置にある（すなわち、ドアフック１０２がドアロック孔１０３から引き出されている）とき、揺動レバー５２６は作動位置にあって、スイッチ手段５２０を開放することができることを確実にする。駆動スライダー３１１が駆動スライダー係止解除位置にある（すなわち、ドアフック１０２がドアロック孔１０３内に挿入されている）とき、揺動レバー５２６は、アイドル位置にあり、ロックピン５２５によるスイッチ手段５２０の制御に影響を与えない。
【００７６】
図９Ａ〜図９Ｃは、ドアフック１０２が３つの異なる位置にある（ドアフック１０２がドアロック孔１０３内に完全に挿入されている、ドアフック１０２がドアロック孔１０３から部分的に引き出されている、及び、ドアフック１０２がドアロック孔１０３から完全に引き出されている）ときの、係止スライダー手段３１０（第１の係止スライダー４１７及び第２の係止スライダー３１８）と、駆動スライダー３１１と、ロックピン５２５と、揺動レバー５２６との協働を示す概略構造図である。図１０Ａ〜図１０Ｃは、弾性片５２４と、ロックピン５２５と、揺動レバー５２６との間の協働関係を示す、図９Ａ〜図９Ｃのドアフック１０２の３つの異なる位置に対応する、線Ａ−Ａ、Ｂ−Ｂ及びＣ−Ｃに沿った３つの断面図である。図９Ａ及び図１０Ａは、ドアフック１０２がドアロック孔１０３内に完全に挿入されているときの構成部品の間の協働関係を示し、図９Ｂ及び図１０Ｂは、ドアの正常な開放中にドアフック１０２がドアロック孔１０３から部分的に引き出されているときの構成要素の間の協働関係を示し、図９Ｃ及び図１０Ｃは、外力によるドアの強制的な開放中にドアフック１０２がドアロック孔１０３から完全に引き出されているときの構成要素の間の協働関係を示す。
【００７７】
図９Ａに示す状態は以下の通りである。すなわち、電化製品が運転を停止し、ドアフック１０２がドアロック孔１０３内に挿入されて電化製品のドアを閉鎖している。図９Ａに示すように、ドアフック１０２はカム２０８を押してその係止位置まで回転させ、カム２０８の下端は、ドアフック１０２の孔１８１内に挿入されてドアフック１０２を引っ掛ける。カム２０８の回転により、第１の係止スライダー４１７がその係止位置まで移動し、第１の係止スライダー４１７は、第２の係止スライダー３１８を押してその係止位置まで移動させ、それにより、第２の係止スライダー３１８の係止孔４１９は、ロックピン５２５と正確に位置合せされるが、ロックピン５２５は係止孔４１９内に下向きに挿入されておらず、ロックピン５２５は、依然としてロックピン係止解除位置にあり、スイッチ手段５２０を開放するように弾性片５２４を押し上げる。電化製品のスイッチボタンが押され、且つスイッチボックス２０５の制御回路が駆動信号を送信した後にのみ、自己係止ブロック５８８は、ロックピン５２５を駆動して、方向ｚに沿ってその係止位置まで下向きに移動させ（すなわち、係止孔４１９内に挿入され）、それにより、第２の係止スライダー３１８は係止され、且つ、第１の係止スライダー４１７及びカム２０８もまた係止され、ドアフック１０２は、カム２０８によって引っ掛けられ、引き出すことができず、それにより、電化製品のドアを係止する。
【００７８】
図９Ａに示す状態では、ドアフック１０２は、駆動スライダー３１１の前端を押圧して、駆動スライダー３１１をその係止解除位置まで押し、それにより、揺動レバー５２６はそのアイドル位置まで移動する。
【００７９】
図９Ａに対応して、図１０Ａは、スイッチボックス２０５の内側の状態を示す断面図である。この場合、揺動レバー５２６はそのアイドル位置にあり、弾性片５２４を押し上げない。ロックピン５２５は、ロックピン係止解除位置にあり、弾性片５２４を押し上げて、スイッチ手段５２０を開放する。スイッチボックス２０５内の制御回路が駆動信号を送信した後にのみ、ロックピン５２５は、その係止位置まで下向きに移動し（すなわち、係止孔４１９内に挿入され）、弾性片５２４を押し上げなくなる。ロックピン５２５がロックピン係止位置になった後、揺動レバー５２６もロックピン５２５も弾性片５２４を押し上げず、弾性片５２４は、弾性力の作用により下向きに移動し、可動接点５８６が固定接点５２３と接触して、スイッチ手段５２０を閉鎖し、電化製品の作動回路を接続し、それにより、電化製品は運転を開始することができる。
【００８０】
図９Ｂに示す状態は以下の通りである。すなわち、電化製品が運転を停止し、ドアの正常な開放中、ドアフック１０２は、ドアロック孔１０３から部分的に引き出されて、電化製品のドアを開放する。図９Ｂに示すように、電化製品が運転を停止すると、電化製品の回路基板（図示せず）は電源切断信号を送信し、スイッチボックス２０５内の電子駆動手段は、自己係止ブロック５８８を通して、ロックピン５２５を、方向ｚに沿って持ち上がって係止孔４１９から離脱するように駆動し、ロックピン５２５は、その係止解除位置まで移動し、弾性片５２４を押し上げる。ロックピン５２５の移動により、第２の係止スライダー３１８が係止解除されるとともに、第１の係止スライダー４１７及びカム２０８も係止解除される。ドアロック孔１０３から引き出されると、ドアフック１０２はカム２０８を回転するように駆動することができ、それにより、カム２０８はその係止位置から離脱する（又は、その係止解除位置まで移動する）。
【００８１】
図９Ｂに示す状態では、ドアフック１０２は、駆動スライダー３１１の前端を押圧しなくなり、駆動スライダー３１１は、ばね３１２の弾性力の作用によりその係止位置まで移動し、それにより、揺動レバー５２６はその作動位置まで移動する。
【００８２】
図９Ｂに対応して、図１０Ｂは、スイッチボックス２０５内の状態を示す断面図である。この場合、揺動レバー５２６は揺動レバー作動位置にあり、ロックピン５２５はロックピン係止解除位置にあり、２つはともに弾性片５２４を持ち上げて、スイッチ手段５２０を開放するとともに電化製品の作動回路を切断し、それにより、電化製品は運転を停止する。
【００８３】
したがって、図９Ａ及び図９Ｂ並びに図１０Ａ及び図１０Ｂから見ることができるように、ロックピン５２５が係止解除位置にあるとき、スイッチ手段５２０が開放されることが確実である。ロックピン５２５が係止解除位置にあるとき、揺動レバー５２６は、作動位置にあってもアイドル位置にあっても、スイッチ手段５２０の開放に影響を与えない。
【００８４】
しかしながら、電化製品の運転中、ドアが外力によって強制的に引っ張られるか、又は更には、ドアロック１００のカム２０８が損傷しており電化製品のドアを開放する場合、安全性を確保するために、電化製品の運転は即座に停止する必要がある。したがって、揺動レバー５２６は、電化製品の作動回路を即座に切断する必要がある。図９Ｃ及び図１０Ｃに示す場合を参照して、作動回路を切断する揺動レバー５２６の作動原理について説明する。
【００８５】
図９Ｃに示す状態は以下の通りである。すなわち、電化製品は運転しており、ドアの異常な開放中、すなわち、電化製品のドアが外力（又は、内部推力）によって強制的に開放するように引っ張られると、電化製品のドアは開放される。この場合、制御回路は、ロックピン５２５をその係止解除位置まで上向きに移動するように駆動しておらず（すなわち、ロックピン５２５を係止孔４１９から離脱するように駆動しておらず）、したがって、ロックピン５２５は依然としてロックピン係止位置にあり、第２の係止スライダー３１８は依然としてロックピン５２５によって係止され、第１の係止スライダー４１７及びカム２０８もまた係止されている。外力が十分に大きい場合、カム２０８は引き離され、ドアロック１００を損傷し、電化製品のドアは強制的に開放される。
【００８６】
この場合、図９Ｂに示すように、ドアフック１０２は、駆動スライダー３１１の前端を押圧しなくなり、駆動スライダー３１１は、ばね３１２の弾性力の作用によりその係止位置まで移動し、それにより、揺動レバー５２６はその作動位置まで移動する。
【００８７】
図９Ｃに対応して、図１０Ｃは、スイッチボックス２０５の内側の状態を示す断面図である。この場合、ロックピン５２５は、ロックピン係止位置にあり、弾性片５２４を押し上げない。しかしながら、揺動レバー５２６は、揺動レバー作動位置にあり、弾性片５２４を押し上げて、スイッチ手段５２０を開放するとともに、電化製品の作動回路を切断し、それにより、電化製品は運転を停止する。
【００８８】
図１１Ａ〜図１１Ｄは、種々の状態にある制御回路１１００の概略図である。図１１Ａは、ロックピン５２５が係止解除位置にあり、揺動レバー５２６がアイドル位置にあり、且つスイッチ手段５２０が開放されているときの制御回路１１００を示し、図１１Ｂは、ロックピン５２５が係止位置にあり、揺動レバー５２６がアイドル位置にあり、且つスイッチ手段５２０が閉鎖されているときの制御回路１１００を示し、図１１Ｃは、ロックピン５２５が係止解除位置にあり、揺動レバー５２６が作動位置にあり、且つスイッチ手段５２０が開放されているときの制御回路１１００を示し、図１１Ｄは、ロックピン５２５が係止位置にあり、揺動レバー５２６が作動位置にあり、且つスイッチ手段５２０が開放されているときの制御回路１１００を示す。
【００８９】
図１１Ａ〜図１１Ｄに示すように、制御回路１１００は、第１の電流ループ（作動ループ）と第２の電流ループ（制御ループ）とを含む。第１の電流ループは、スイッチ手段５２０を介して接続端子１１５１と共通端子１１５２との間に形成されている。第２の電流ループは、電子駆動手段１１５０及び起動手段１１５６を介して制御端子１１５３と共通端子１１５２との間に形成されている。第１の電流ループ及び第２の電流ループは、共通接続点１１５５を介して共通端子１１５２に接続されている。
【００９０】
接続端子１１５１は、第１の電流ループにおいて電気モーター１１６０（又は、モーター若しくは他の駆動部分）を介して電源１１６２と直列に接続することができる。スイッチ手段５２０の２つの接点５８６及び５２３は、それぞれ、接続点１１７４及び１１５５を介して第１の電流ループに接続されている。スイッチ手段５２０の閉鎖又は開放を用いて、電気モーター１１６０の電源１１６２への接続又は電源１１６２からの切断を制御するように、第１の電流ループの接続又は切断が制御される。電子駆動手段１１５０及び起動手段１１５６は、それぞれ、制御端子１１５３及び接続点１１７６を介して第２の電流ループに接続され、電源１１６２に更に接続されている。共通端子１１５２は、電源１１６２のアースに接続されている。起動手段１１５６は、電化製品の回路基板から送信される制御信号（又は駆動信号）を受信し、受信した制御信号（又は駆動信号）に従って電子駆動手段１１５０を閉鎖（励磁）することができ、それにより、ロックピン５２５は、上向き又は下向きに移動して、第１の係止スライダー４１７及びカム２０８の係止又は係止解除を制御するように、第２の係止スライダー３１８の係止又は係止解除を制御する。更に、ロックピン５２５の上向き又は下向きの移動は、スイッチ手段５２０の開放又は閉鎖の制御にも関係することができる。
【００９１】
電子駆動手段１１５０は、コイル１１７２及び鉄心１１７３を含む。電子駆動手段１１５０が第２の電流ループに接続されると、コイル１１７２が帯電し、それにより、鉄心１１７３が電磁力の作用によって移動する。ロックピン５２５に、肩部９７８（図９Ａ〜図９Ｃを参照）が設けられている。鉄心１１７３が自己係止ブロック５８８を駆動して係止状態と係止解除状態との間で往復運動させると、自己係止ブロック５８８は、ロックピン５２５の肩部９７８を駆動して、カム２０８を係止又は係止解除するように、且つスイッチ手段５２０の閉鎖又は開放に関係するように、ロックピン５２５を上向きに垂直に移動するように作動させる。
【００９２】
図１１Ａに示す状態では、電化製品のドアは、開放位置から閉鎖位置に変化し、ドアフック１０２は、ドアロック孔１０３内に部分的に挿入され、それにより、揺動レバー５２６はアイドル位置にある。電化製品が始動していないため、ロックピン５２５は、依然としてその係止解除位置に（すなわち、係止孔４１９の外側に）あり、弾性片５２４を押し上げてスイッチ手段５２０を開放し、それにより、電化製品は運転を停止する。
【００９３】
図１１Ｂに示す状態では、電化製品のドアが閉鎖された後、電化製品は始動され（例えば、ユーザーがスタートボタンを押した後）、ロックピン５２５は、その係止解除位置からその係止位置まで移動し（すなわち、係止孔４１９内に挿入され）、ロックピン５２５はスイッチ手段５２０から離脱して、それにより、スイッチ手段５２０は閉鎖され、電化製品は正常に作動する。更に、駆動スライダー３１１は、揺動レバー５２６をそのアイドル位置まで移動させ、スイッチ手段５２０の閉鎖状態に影響を与えない。
【００９４】
具体的には、起動手段１１５６は、駆動手段（電化製品の回路基板）から駆動（制御）パルス信号（第１の駆動パルス信号）を受信し、起動手段１１５６は閉鎖されて、電源１１６２をコイル１１７２に接続し、それにより、コイル１１７２は励磁状態になり、コイル１１７２内の鉄心１１７３は、自己係止ブロック５８８を１度移動するように駆動してロックピン５２５を移動するように作動させ、ロックピン５２５は、係止解除位置から係止位置まで移動し、ロックピン５２５は、スイッチ手段５２０を閉鎖するように、弾性片５２４から離脱するように下向きに移動する。電化製品の回路基板（駆動手段）が第１のパルスを送信した後、スイッチボックス２０５の内側の状態が、係止解除状態（ロックピン５２５が係止解除位置にある）から係止状態（ロックピン５２５が係止解除位置から係止位置に駆動されている）まで変化することが留意されるべきである。しかしながら、スイッチボックス２０５内の（自己係止ブロック５８８内に位置する）ボールペンリフィル押込み機構５８７が、スイッチボックス２０５の現状態（係止状態）を維持することができるため、電化製品の回路基板（駆動手段）は、スイッチボックス２０５の現状態を維持するようにパルス信号を維持する必要はない。しかしながら、電化製品の回路基板（駆動手段）が次の（第２の）パルスを送信した後（図１１Ｃを参照）、スイッチボックス２０５内のボールペンリフィル押込み機構５８７は、スイッチボックス２０５を係止状態（すなわち、ロックピン５２５が係止位置にある）から係止解除状態（すなわち、ロックピン５２５が係止位置から係止解除位置まで駆動されている）まで変化する。
【００９５】
図１１Ｃに示す状態では、電化製品のドアは正常に開放しており、スイッチ手段５２０は開放され、電化製品は、正常に電源が切断される。この場合、一方では、駆動スライダー３１１は、揺動レバー５２６をその作動位置まで回転するように駆動し、それにより、揺動レバー５２６は弾性片５２４を押し上げて、スイッチ手段５２０を開放する。他方では、電子駆動手段１１５０によって、ロックピン５２５を、その係止解除位置まで移動する（すなわち、係止孔４１９から引き出される）とともに、弾性片５２４を押し上げてスイッチ手段５２０を開放するように、駆動することができる。
【００９６】
具体的には、電化製品が正常に運転を停止した後、且つ電化製品のドアが開放される前、起動手段１１５６は、駆動手段（電化製品の回路基板）から次の（第２の）駆動パルス信号を受信し、起動手段１１５６は閉鎖されて、電源１１６２をコイル１１７２に接続し、それにより、コイル１１７２は励磁状態になり、コイル１１７２内の鉄心１１７３は、自己係止ブロック５８８を再び１回移動するように駆動して、ロックピン５２５を移動するように作動させ、ロックピン５２５は、係止位置から係止解除位置まで上向きに移動し、ロックピン５２５は、スイッチ手段５２０を開放するように弾性片５２４を押し上げる。この場合、電化製品のドアを開放することができる。電化製品の回路基板（すなわち、駆動手段）が第２のパルスを送信した後、スイッチボックス２０５内のボールペンリフィル押込み機構５８７は、スイッチボックス２０５を係止状態（すなわち、ロックピン５２５が係止位置にある）から係止解除状態（すなわち、ロックピン５２５が係止位置から係止解除位置に駆動されている）まで変化させる。図１１Ｃに示すように、揺動レバー５２６及びロックピン５２５はともに、弾性片５２４に接触することができる。当然ながら、図１１Ｃの状態では、ロックピン５２５が弾性片５２４を押し上げると、揺動レバー５２６は作動位置にある場合であっても弾性片５２４と接触せず、ロックピン５２５のみを用いて弾性片５２４が押し上げられるように、ロックピン５２５の移動ストローク及び揺動レバー５２６の回転ストロークを設定することができる。
【００９７】
図１１Ｄに示すように、電化製品のドアは、異常な状態において開放される。例えば、電化製品が運転しているとき、ドアフック１０２がドアロック孔１０３から強制的に引き出され、その結果、カム２０８が破損したとき、スイッチ手段５２０が開放され、電化製品は強制的に電源が切断される。この場合、ロックピン５２５は駆動されず、依然としてロックピン係止位置にあり（すなわち、係止孔４１９内に挿入されており）、スイッチ手段５２０の閉鎖状態に影響を与えない。ドアフック１０２の位置に従って、駆動スライダー３１１は、揺動レバー５２６を揺動レバー作動位置まで回転するように駆動し、それにより、揺動レバー５２６は、弾性片５２４を押し上げてスイッチ手段５２０を開放する。
【００９８】
具体的には、電化製品の運転中、電化製品のドアが強制的に開放されると、起動手段１１５６は、電化製品の回路基板（駆動手段）からいかなる駆動パルス信号も受信せず、コイル１１７２は励磁されず、自己係止ブロック５８８は移動せず、ロックピン５２５は係止位置で維持され、スイッチボックス２０５内の押込み機構５８７は、スイッチボックス２０５を係止状態で維持する（すなわち、ロックピン５２５は係止位置で維持される）。図１１Ｄに示す状態では、ロックピン５２５は、弾性片５２４を切断するという影響を与えないが、揺動レバー５２６は単独で弾性片５２４を押し上げるように機能する。
【００９９】
電化製品が作動しているとき、すなわち、第１の電流ループが閉鎖されているとき、自己係止ブロック５８８は係止解除状態にあり、ロックピン５２５は、その係止位置まで落下し、揺動レバー５２６はそのアイドル位置にあり、スイッチ手段５２０は閉鎖される。正常な状態では、第１の電流ループを開放して作動を停止するために、電化製品の回路基板（図示せず）は、起動手段１１５６にパルス信号を送信することができ、それにより、電子駆動手段１１５０の鉄心１１７３は、電磁力の作用により自己係止ブロック５８８を前方に押す。自己係止ブロック５８８は、前方に移動し、スイッチ手段５２０を押し上げて第１の電流ループを開放するように、ロックピン５２５を上向きに移動するように作動させる。パルス信号が消滅した場合であっても、自己係止ブロック５８８は、押込み機構５８７によって係止され、その元の位置に復帰することはできず、ロックピン５２５を押圧してロックピン５２５を、スイッチ手段５２０を押し上げる位置で維持し、ロックピン５２５が落下するのを防止し、第１の電流ループは常に開放位置で維持される。次のパルス信号が到達すると、電子駆動手段１１５０は、自己係止ブロック５８８を再度前方に押す。この場合、押込み機構５８７は、自己係止ブロック５８８を解放し、それにより、自己係止ブロック５８８はその元の位置に復帰し、ロックピン５２５はそれに従って落下し、揺動レバー５２６は依然としてアイドル位置にあり、それによりスイッチ手段５２０を閉鎖する。
【０１００】
したがって、スイッチ駆動手段（すなわち、揺動レバー５２６）及びロックピン５２５は、スイッチ手段５２０の開放を連携して制御することができる。スイッチ駆動手段（すなわち、スイッチレバー５２６）は、機械的構造体（すなわち、駆動スライダー３１１）によって駆動され、ロックピン５２５は、回路構造体（例えば、第２の電流ループ）によって駆動することができ、異常な作動状態において電源を接続する感度及び信頼性が向上する。
【０１０１】
図１１Ａ〜図１１Ｄの実施形態では、起動手段１１５６は、リレー装置とすることができ、又はサイリスタ若しくはトランジスタとすることができる。トランジスタがオンであるとき、そのエミッタ及びコレクタは電源１１６２をコイル１１７２に接続し、一方、トランジスタがオフであるとき、そのエミッタ及びコレクタは電源１１６２をコイル１１７２から切断する。トランジスタのベースは、駆動信号（又は制御信号）を受信する。駆動信号（又は制御信号）が出現すると、トランジスタはオンであり、駆動信号（又は制御信号）が消滅すると、トランジスタはオフである。
【０１０２】
図１１Ａ〜図１１Ｄでは、電化製品の正常な作動状態、例えば、最初にドアを閉鎖し、その後電化製品を始動させるか、又は最初に電化製品を停止し、その後ドアを開放する状態では、電子駆動手段１１５０を用いて、電化製品の作動回路を接続又は切断するように、スイッチ手段５２０を閉鎖又は開放するようにロックピン５２５が垂直に移動するように駆動される。しかしながら、電化製品の異常な状態では、ロックピン５２５はスイッチ手段５２０を開放せず、強制的な電源切断を実施するために、スイッチ手段５２０を開放するように揺動レバー５２６のみが使用される。ドアフック１０２がドアロック孔１０３に挿入されている限り、揺動レバー５２６は、スイッチ手段５２０を開放するようにその作動位置まで回転せず、一方、ドアロック孔１０３がドアフック１０２から引き出されている限り、揺動レバー５２６はスイッチ手段５２０を開放するように回転する。したがって、揺動レバー５２６は、異常な状態にあるときにのみスイッチ手段５２０を開放するように構成されている。正常な状態では、揺動レバー５２６は、ロックピン５２５によるスイッチ手段５２０の制御に影響を与えない。
【０１０３】
本出願によれば、ドアフック１０２に結合された駆動スライダー３１１及び揺動レバー５２６により、電化製品のドアが異常に開放されたときに、電化製品の動作を停止するように、適時に電化製品の作動回路を切断することができる。本出願の上記構成により、より高感度でスイッチ手段を開放することができるのみでなく、より高い信頼性も提供され、ドアロックの他の構成要素が損傷している場合であっても、電化製品の動作を適時に停止することができる。
【０１０４】
本出願の趣旨及び原理は、本出願に開示した揺動レバー及び駆動スライダーの実施形態によって限定されるようには意図されていないことに留意されるべきである。当業者であれば、本出願の実施形態におけるスイッチ駆動手段及び駆動スライダーを、ドアフック１０２の移動によりスイッチ手段の閉鎖又は開放を直接駆動するように、同じか又は同様の機能を有する他の機械的構造体とすることができることを理解するはずである。
【０１０５】
本出願について、添付図面に示す具体的な実施形態を参照して説明しているが、本出願によって教示する趣旨及び範囲から逸脱することなく、本出願のドアロックの構成、特に、スイッチ駆動手段及び駆動スライダーの構成は多くの変形形態を有することができることが理解されるべきである。当業者であれば、本明細書によって開示した実施形態における構造を異なる方法で変更することができ、こうした変更の全てが本出願及び添付の特許請求の範囲の趣旨及び範囲内にあることを理解するはずである。
【図１】
2022502147.tif 000003
【図２】
2022502147.tif 000004
【図３】
2022502147.tif 000005
【図４Ａ】
2022502147.tif 000006
【図４Ｂ】
2022502147.tif 000007
【図４Ｃ】
2022502147.tif 000008
【図４Ｄ】
2022502147.tif 000009
【図５Ａ】
2022502147.tif 000010
【図５Ｂ】
2022502147.tif 000011
【図５Ｃ】
2022502147.tif 000012
【図６】
2022502147.tif 000013
【図７Ａ】
2022502147.tif 000014
【図７Ｂ】
2022502147.tif 000015
【図８Ａ】
2022502147.tif 000016
【図８Ｂ】
2022502147.tif 000017
【図９Ａ】
2022502147.tif 000018
【図９Ｂ】
2022502147.tif 000019
【図９Ｃ】
2022502147.tif 000020
【図１０Ａ】
2022502147.tif 000021
【図１０Ｂ】
2022502147.tif 000022
【図１０Ｃ】
2022502147.tif 000023
【図１１Ａ】
2022502147.tif 000024
【図１１Ｂ】
2022502147.tif 000025
【図１１Ｃ】
2022502147.tif 000026
【図１１Ｄ】
2022502147.tif 000027
【国際調査報告】
2022502147.tif 000028
2022502147.tif 000029
2022502147.tif 000030
2022502147.tif 000031